(57)【要約】【課題】テレビジョン放送波の各チャンネルに対応してチューナを設けないで、且つ効率が良くテレビジョン放送波のデータを記憶するテレビジョン放送受信装置を提供する。【解決手段】ＣＰＵ６０にチューナ３を制御させて放送波のある物理チャンネルを検索させる検索プログラム６２Ａと、ＣＰＵ６０にチューナ３により検索された放送波のある物理チャンネルに基づいて、所定のチャンネル数分の周波数帯域範囲内で、放送波のある物理チャンネルが最も多い周波数帯域を所定範囲の周波数帯域として決定させる決定プログラム６２Ｂと、ＲＦ信号から決定された所定範囲の周波数帯域に相当するベースバンド信号を生成する第１のミキサー２０及び第１のＬＰＦ２１と、生成されたベースバンド信号をアナログデジタル変換させるＡ／Ｄ変換部２２と、Ａ／Ｄ変換部２２により変換されたデジタルデータを記憶するメモリ部２３と、を備えた。【選択図】    図２
2006332853.tif 000002
【特許請求の範囲】
【請求項１】
テレビジョン放送波のＲＦ信号中の所定範囲の周波数帯域を決定する決定手段と、
前記ＲＦ信号から前記決定手段に決定された周波数帯域に相当するベースバンド信号を生成するベースバンド信号生成手段と、
前記ベースバンド信号生成手段により生成されたベースバンド信号をアナログデジタル変換させるＡ／Ｄ変換手段と、
前記Ａ／Ｄ変換手段により変換されたデジタルデータを記憶するメモリ部と、
前記メモリ部に記憶されたデジタルデータをデジタルアナログ変換してベースバンド信号にするＤ／Ａ変換手段と、
前記Ｄ／Ａ変換手段により変換されたベースバンド信号から、所定のチャンネルのＩＦ信号を生成するＩＦ信号生成手段と、
放送波のある物理チャンネルを検索する検索手段と、を備え、
前記決定手段は、
前記検索手段により検索された放送波のある物理チャンネルに基づいて、所定のチャンネル数分の周波数帯域範囲内で、放送波のある物理チャンネルが最も多い周波数帯域を前記所定範囲の周波数帯域として決定することを特徴とするテレビジョン放送受信装置。
【請求項２】
テレビジョン放送波のＲＦ信号中の所定範囲の周波数帯域を決定する決定手段と、
前記ＲＦ信号から前記決定手段に決定された周波数帯域に相当するベースバンド信号を生成するベースバンド信号生成手段と、
前記ベースバンド信号生成手段により生成されたベースバンド信号をアナログデジタル変換させるＡ／Ｄ変換手段と、
前記Ａ／Ｄ変換手段により変換されたデジタルデータを記憶するメモリ部と、
を備えることを特徴とするテレビジョン放送受信装置。
【請求項３】
放送波のある物理チャンネルを検索する検索手段を備え、
前記決定手段は、
前記検索手段により検索された放送波のある物理チャンネルに基づいて、所定のチャンネル数分の周波数帯域範囲内で、放送波のある物理チャンネルが最も多い周波数帯域を前記所定範囲の周波数帯域として決定することを特徴とする請求項２に記載のテレビジョン放送受信装置。
【請求項４】
キーワードを入力するための入力手段と、
放送波に含まれるＥＰＧデータを記憶する記憶手段と、
前記記憶手段を参照して前記入力手段により入力されたキーワードを含む番組を抽出し、該番組が放送される物理チャンネルを検索する検索手段と、を備え、
前記決定手段は、前記検索手段により検索された前記キーワードを含む番組が放送される物理チャンネルに基づいて、所定のチャンネル数分の周波数帯域範囲内で、前記キーワードを含む番組が放送される物理チャンネルが最も多い周波数帯域を前記所定範囲の周波数帯域として決定することを特徴とする請求項２に記載のテレビジョン放送受信装置。
【請求項５】
前記メモリ部に記憶されたデジタルデータをデジタルアナログ変換してベースバンド信号にするＤ／Ａ変換手段と、
前記Ｄ／Ａ変換手段により変換されたベースバンド信号から、所定のチャンネルのＩＦ信号を生成するＩＦ信号生成手段と、
を備えることを特徴とする請求項２〜４の何れか一項に記載のテレビジョン放送受信装置。
【発明の詳細な説明】
【技術分野】
【０００１】
本発明は、テレビジョン放送受信装置に関する。
【背景技術】
【０００２】
従来、テレビジョン放送受信装置は、複数のチャンネルの放送波を受信するため、複数のチューナを備え、テレビジョン放送波の中から、各チューナに各チャンネルの周波数の放送波を選択受信させ、受信させた放送波のデータの復調処理等を行い、復調処理等したデータを表示装置や音声出力装置に出力したり、蓄積装置に蓄積したりする（例えば、特許文献１，２）。
【０００３】
また、テレビジョン放送波として、映像データや音声データだけでなく、ＥＰＧ（Electronic  Program  Guide）と呼ばれる番組予定データ等が同時に伝送されるようになっている。そして、当該ＥＰＧデータを利用して、表示装置に番組予定表を表示させるデジタル放送受信装置も知られている（例えば、特許文献３）。
【０００４】
また、デジタル放送波の中から、番組を放送している放送波を検索するチャンネルサーチを行うデジタル放送受信装置において、受信した放送波のデータの受信レベル及びノイズレベルに基づいて番組を放送している放送波であるか否かを判断し、番組を放送している放送波だけを確実に検索するものも知られている（例えば、特許文献４，５）。
【特許文献１】特開２００４−３３６５１８号公報
【特許文献２】特開２００３−１６３８５２号公報
【特許文献３】特開２００５−３９４８７号公報
【特許文献４】特開２００４−２６６６５８号公報
【特許文献５】特開２００５−５８９４号公報
【発明の開示】
【発明が解決しようとする課題】
【０００５】
しかしながら、特許文献１、２のように、チューナを各チャンネル毎に備えることとすると、例えば、デジタル放送波の場合、約５０チャンネルの放送波が含まれているため、全チャンネルの放送波のデータを蓄積装置に蓄積するには、５０チャンネル分のチューナが必要となって、コストがかかり、テレビジョン放送受信装置が非常に高価なものとなってしまう。また、特許文献３〜５のように、番組を放送している放送波のデータだけを蓄積したとしても、やはり、所望するチャンネルの数に応じたチューナが必要となる。
【０００６】
そこで、テレビジョン放送波の全帯域の電波を、常時サンプリングしてデジタルデータに変換し、蓄積装置に蓄積することとすれば、チューナをチャンネル毎に設けなくてよいこととなるが、デジタル放送波の全帯域をサンプリングすることとすると、単位時間あたりにサンプリングするデータ量が莫大となり、現実的ではない。
【０００７】
本発明の課題は、テレビジョン放送波の各チャンネルに対応してチューナを設けないで、且つ効率が良くテレビジョン放送波のデータを記憶するテレビジョン放送受信装置を提供することである。
【課題を解決するための手段】
【０００８】
請求項１に記載の発明は、テレビジョン放送波のＲＦ信号中の所定範囲の周波数帯域を決定する決定手段と、
前記ＲＦ信号から前記決定手段に決定された周波数帯域に相当するベースバンド信号を生成するベースバンド信号生成手段と、
前記ベースバンド信号生成手段により生成されたベースバンド信号をアナログデジタル
変換させるＡ／Ｄ変換手段と、
前記Ａ／Ｄ変換手段により変換されたデジタルデータを記憶するメモリ部と、
前記メモリ部に記憶されたデジタルデータをデジタルアナログ変換してベースバンド信号にするＤ／Ａ変換手段と、
前記Ｄ／Ａ変換手段により変換されたベースバンド信号から、所定のチャンネルのＩＦ信号を生成するＩＦ信号生成手段と、
放送波のある物理チャンネルを検索する検索手段と、を備え、
前記決定手段は、
前記検索手段により検索された放送波のある物理チャンネルに基づいて、所定のチャンネル数分の周波数帯域範囲内で、放送波のある物理チャンネルが最も多い周波数帯域を前記所定範囲の周波数帯域として決定することを特徴としている。
【０００９】
請求項２に記載の発明は、テレビジョン放送波のＲＦ信号中の所定範囲の周波数帯域を決定する決定手段と、
前記ＲＦ信号から前記決定手段に決定された周波数帯域に相当するベースバンド信号を生成するベースバンド信号生成手段と、
前記ベースバンド信号生成手段により生成されたベースバンド信号をアナログデジタル変換させるＡ／Ｄ変換手段と、
前記Ａ／Ｄ変換手段により変換されたデジタルデータを記憶するメモリ部と、
を備えることを特徴としている。
【００１０】
請求項３に記載の発明は、請求項２に記載のテレビジョン放送受信装置において、
放送波のある物理チャンネルを検索する検索手段を備え、
前記決定手段は、
前記検索手段により検索された放送波のある物理チャンネルに基づいて、所定のチャンネル数分の周波数帯域範囲内で、放送波のある物理チャンネルが最も多い周波数帯域を前記所定範囲の周波数帯域として決定することを特徴としている。
【００１１】
請求項４に記載の発明は、請求項２に記載のテレビジョン放送受信装置において、
キーワードを入力するための入力手段と、
放送波に含まれるＥＰＧデータを記憶する記憶手段と、
前記記憶手段を参照して前記入力手段により入力されたキーワードを含む番組を抽出し、該番組が放送される物理チャンネルを検索する検索手段と、を備え、
前記決定手段は、前記検索手段により検索された前記キーワードを含む番組が放送される物理チャンネルに基づいて、所定のチャンネル数分の周波数帯域範囲内で、前記キーワードを含む番組が放送される物理チャンネルが最も多い周波数帯域を前記所定範囲の周波数帯域として決定することを特徴としている。
【００１２】
請求項５に記載の発明は、請求項２〜４の何れか一項に記載のテレビジョン放送受信装置において、
前記メモリ部に記憶されたデジタルデータをデジタルアナログ変換してベースバンド信号にするＤ／Ａ変換手段と、
前記Ｄ／Ａ変換手段により変換されたベースバンド信号から、所定のチャンネルのＩＦ信号を生成するＩＦ信号生成手段と、を備えることを特徴としている。
【発明の効果】
【００１３】
請求項１に記載の発明によれば、決定手段により、テレビジョン放送波のＲＦ信号中の所定範囲の周波数帯域が決定され、ベースバンド信号生成手段により、ＲＦ信号から決定手段によって決定された周波数帯域に相当するベースバンド信号が生成され、Ａ／Ｄ変換手段により、ベースバンド信号生成手段によって生成されたベースバンド信号がアナログ
デジタル変換され、メモリ部により、Ａ／Ｄ変換手段によって変換されたデジタルデータが記憶されるので、テレビジョン放送波のＲＦ信号が、チューナによりＩＦ信号に変換され復調処理等されずにメモリ部に記憶されることとなって、チューナを各チャンネル毎に設けなくても、決定手段により決定された所定範囲の周波数帯域のＲＦ信号をアナログデジタル変換してメモリ部に記憶できる。
【００１４】
また、決定手段により、アナログデジタル変換してメモリ部に記憶するＲＦ信号の所定範囲の周波数帯域が決定されるので、単位時間あたりにアナログデジタル変換するデータ量を抑えることができるので、効率良くテレビジョン放送波のデータをメモリ部に記憶することができる。
【００１５】
また、決定手段により、検索手段によって検索された放送波のある物理チャンネルに基づいて、所定のチャンネル数分の周波数帯域範囲内で、放送波のある物理チャンネルが最も多い周波数帯域が所定範囲の周波数帯域として決定されるので、番組が放送されている物理チャンネルのデータを効率良くメモリ部に記憶することができる。
【００１６】
また、Ｄ／Ａ変換手段により、メモリ部に記憶されたデジタルデータがデジタルアナログ変換されてベースバンド信号にされ、ＩＦ信号生成手段により、Ｄ／Ａ変換手段によって変換されたベースバンド信号から、所定のチャンネルのＩＦ信号が再生されるので、メモリ部に記憶されたデジタルデータからＲＦ信号を再生せずに直接ユーザが所望するＩＦ信号を生成することとなって、より効率的にメモリ部に記憶されたデジタルデータを再生することができる。
【００１７】
請求項２に記載の発明によれば、決定手段により、テレビジョン放送波のＲＦ信号中の所定範囲の周波数帯域が決定され、ベースバンド信号生成手段により、ＲＦ信号から決定手段に決定された周波数帯域に相当するベースバンド信号が生成され、Ａ／Ｄ変換手段により、ベースバンド信号生成手段によって生成されたベースバンド信号がアナログデジタル変換され、メモリ部により、Ａ／Ｄ変換手段によって変換されたデジタルデータが記憶されるので、テレビジョン放送波のＲＦ信号が、チューナによりＩＦ信号に変換され復調処理等されずにメモリ部に記憶されることとなって、チューナを各チャンネル毎に設けなくても、決定手段により決定された所定範囲の周波数帯域のＲＦ信号をアナログデジタル変換してメモリ部に記憶できる。
【００１８】
また、決定手段により、アナログデジタル変換してメモリ部に記憶するＲＦ信号の所定範囲の周波数帯域が決定されるので、単位時間あたりにアナログデジタル変換するデータ量を抑えることができるので、効率良くテレビジョン放送波のデータをメモリ部に記憶することができる。
【００１９】
請求項３に記載の発明によれば、請求項２に記載の発明と同様の効果が得られるのは勿論のこと、特に、決定手段により、検索手段によって検索された放送波のある物理チャンネルに基づいて、所定のチャンネル数分の周波数帯域範囲内で、放送波のある物理チャンネルが最も多い周波数帯域が所定範囲の周波数帯域として決定されるので、番組が放送されている物理チャンネルのデータを効率良くメモリ部に記憶することができる。
【００２０】
請求項４に記載の発明によれば、請求項２に記載の発明と同様の効果が得られるのは勿論のこと、特に、決定手段により、検索手段によって検索されたキーワードを含む番組が放送される物理チャンネルに基づいて、所定のチャンネル数分の周波数帯域範囲内で、キーワードを含む番組が放送される物理チャンネルが最も多い周波数帯域が所定範囲の周波数帯域として決定されるので、ユーザが見たい番組に関するキーワードを含む番組が放送されている物理チャンネルのデータを効率良くメモリ部に記憶することができる。
【００２１】
請求項５に記載の発明によれば、請求項２〜４の何れか一項に記載の発明と同様の効果
が得られるのは勿論のこと、特に、Ｄ／Ａ変換手段により、メモリ部に記憶されたデジタルデータがデジタルアナログ変換されてベースバンド信号にされ、ＩＦ信号生成手段により、Ｄ／Ａ変換手段によって変換されたベースバンド信号から、所定のチャンネルのＩＦ信号が再生されるので、メモリ部に記憶されたデジタルデータからＲＦ信号を再生せずに直接ユーザが所望するＩＦ信号を生成することとなって、より効率的にメモリ部に記憶されたデジタルデータを再生することができる。
【発明を実施するための最良の形態】
【００２２】
以下、図を参照して、本発明の実施形態に係る放送受信装置を実施するための最良の形態を詳細に説明する。
（第１の実施形態）
まず、本発明の第１の実施形態に係るテレビジョン放送受信装置１００の構成について説明する。本発明の第１の実施形態に係るテレビジョン放送受信装置１００は、図１に示すように、アンテナ１，放送波記憶部２，チューナ３，信号セレクタ４，再生部５，メイン制御部６，入力部７等を備えて構成される。
【００２３】
また、テレビジョン放送受信装置１００は、表示装置２００，音声出力装置３００と接続されている。
【００２４】
アンテナ１は、パラボラアンテナやＵＨＦアンテナ等であり、テレビジョン放送波を受信し、ＲＦ（Radio  Frequency）信号を放送波記憶部２又はチューナ３に出力する。なお、ＣＡＴＶ回線を介してテレビジョン放送波を受信する場合には、アンテナ１の代わりに、接続ケーブル（図示省略）等が備えられてもよい。
【００２５】
放送波記憶部２は、第１のミキサー２０，第１のＬＰＦ（Low  Pass  Filter）２１，
Ａ／Ｄ変換部２２，メモリ部２３，制御部２４，Ｄ／Ａ変換部２５，第２のＬＰＦ２６，第２のミキサー２７等を備えて構成され、メイン制御部６からの制御信号に従って、アンテナ１により受信された放送波にデジタルアナログ変換処理等を行って生成されたデジタルデータをメモリ部２３に記憶するとともに、メモリ部２３に記憶されたデジタルデータからユーザが所望するチャンネルのＩＦ信号を生成する。
【００２６】
第１のミキサー２０は、水晶発振器等を備え、アンテナ１から入力されたＲＦ信号に、後述するＣＰＵ６０が局部発振周波数決定プログラム６２Ｃを実行することにより決定した局部発振周波数をミキシングすることにより、ＲＦ信号の周波数をダウンコンバートさせた信号を生成し、第１のＬＰＦ２１に出力する。第１のＬＰＦ２１は、第１のミキサー２０から入力された信号のうち、ＣＰＵ６０が周波数決定プログラム６２Ｄを実行することにより決定した遮断周波数以下の周波数の信号のみを通過させ、ベースバンド信号を生成し、Ａ／Ｄ変換部２２に出力する。これにより、第１のミキサー２０及び第１のＬＰＦ２１は、ベースバンド信号生成手段として機能する。
【００２７】
Ａ／Ｄ変換部２２は、第１のＬＰＦ２１から入力されたベースバンド信号の全帯域をサンプリングし、アナログデジタル変換してデジタルデータを生成し、メモリ部２３に出力する。これにより、Ａ／Ｄ変換部２２は、Ａ／Ｄ変換手段として機能する。ここで、Ａ／Ｄ変換部２２におけるサンプリングは、ベースバンド信号を再生した場合の劣化を防止するため、ナイキスト周波数を考慮して、ベースバンド信号の周波数の２倍以上の周波数でサンプリングすることが望ましい。
【００２８】
メモリ部２３は、例えば、ＨＤＤ装置等により構成され、Ａ／Ｄ変換部２２から入力されるデジタルデータ及び該デジタルデータの放送波を受信した時刻等の時間情報を記憶していく。時間情報は、所定の単位時間（例えば、数十分単位等）毎の該デジタルデータの
放送波を受信した時刻等であり、デジタルデータに、ヘッダー情報として付加されてもよいし、対比表として付加されてもよい。ここで、時間情報は、例えば、放送波記憶部２内に設けられた計時回路（図示省略）から出力される信号に基づく時間データであってもよいし、テレビジョン放送波に時間情報が含まれる場合には、その時間情報を利用してもよい。
【００２９】
また、メモリ部２３に記憶されたデジタルデータが再生される際には、該デジタルデータがＤ／Ａ変換部２５へ出力される。
【００３０】
制御部２４は、メイン制御部６からの制御信号に従って、Ａ／Ｄ変換部２２から入力されるデジタルデータに、該デジタルデータの放送波を受信した時刻等の時間情報を付加してメモリ部２３に記憶させる制御及びメモリ部２３からＤ／Ａ変換部２５へ出力されるデジタルデータの出力の制御等を行う。
【００３１】
Ｄ／Ａ変換部２５は、メモリ部２３から出力されたデジタルデータをデジタルアナログ変換してベースバンド信号を生成し、第２のＬＰＦ２６に出力する。これにより、Ｄ／Ａ変換部２５は、Ｄ／Ａ変換手段として機能する。
【００３２】
第２のＬＰＦ２６は、Ｄ／Ａ変換部２５から入力されたベースバンド信号のうち、遮断周波数以下の周波数の信号のみを通過させ、第２のミキサー２７に出力する。第２のミキサー２７は、水晶発振器等を備え、第２のＬＰＦ２６から入力された信号に、ユーザが所望するチャンネルの局部発振周波数をミキシングすることにより、ユーザが所望するチャンネルのＩＦ信号を生成し、信号セレクタ４に出力する。これにより、第２のＬＰＦ２６及び第２のミキサー２７は、ＩＦ信号生成手段として機能する。
【００３３】
チューナ３は、アナログチューナ若しくはデジタルチューナであり、アンテナ１から入力されたＲＦ信号からユーザが所望するチャンネルのＩＦ（Intermediate  Frequency）
信号を生成する。より具体的には、チューナ３は、入力されたＲＦ信号にユーザが所望するチャンネルの局部発振周波数をミキシングして、ユーザが所望するチャンネルのＩＦ信号を生成する。チューナ３により生成されたＩＦ信号は、信号セレクタ４に出力される。
【００３４】
また、チューナ３は、ＣＰＵ６０が後述する検索プログラム６２Ａを実行することにより制御されて、アンテナ１から入力されるＲＦ信号の全帯域をサーチし、放送波のある物理チャンネルを検索する。これにより、チューナ３は検索手段の一部として機能する。
【００３５】
信号セレクタ４は、チューナ３，第２のミキサー２７等と接続され、ユーザにより入力部７が操作されることにより入力された信号に基づいて、チューナ３又は第２のミキサー２７から入力されるＩＦ信号のどちらかを選択し、再生部５に出力する。
【００３６】
再生部５は、信号セレクタ４から入力されるＩＦ信号に復調処理、復号処理を行って、表示装置２００，音声出力装置３００に出力する。
【００３７】
メイン制御部６は、図２に示すように、ＣＰＵ（Central  Processing  Unit）６０，
ＲＡＭ（Random  Access  Memory）６１，記憶部６２等を備えて構成される。
【００３８】
メイン制御部６は、図２に示すように、第１のミキサー２０，第１のＬＰＦ２１，Ａ／Ｄ変換部２２，メモリ部２３，制御部２４，Ｄ／Ａ変換部２５，第２のＬＰＦ２６，第２のミキサー２７，チューナ３，信号セレクタ４，再生部５，入力部７等と接続され、テレビジョン放送受信装置１００の各部の制御を行う。
【００３９】
ＣＰＵ６０は、記憶部６２に格納された処理プログラム等を読み出して、ＲＡＭ６１に展開して実行することにより、テレビジョン放送受信装置１００全体の制御を行う。
【００４０】
ＲＡＭ６１は、ＣＰＵ６０により実行された処理プログラム等を、ＲＡＭ６１内のプログラム格納領域に展開するとともに、入力データや上記処理プログラムが実行される際に生じる処理結果等をデータ格納領域に格納する。
【００４１】
記憶部６２は、例えば、プログラムやデータ等が予め記憶されている記録媒体（図示せず）を有しており、この記録媒体は、例えば、半導体メモリ等で構成されている。また、記憶部６２は、ＣＰＵ６０がテレビジョン放送受信装置１００全体を制御する機能を実現させるための各種データ，各種処理プログラム，これらプログラムの実行により処理されたデータ等を記憶する。より具体的には、記憶部６２は、例えば、図２に示すように、検索プログラム６２Ａ，決定プログラム６２Ｂ，局部発振周波数決定プログラム６２Ｃ，周波数決定プログラム６２Ｄ，記録プログラム６２Ｅ，通常放送プログラム６２Ｆ，再生プログラム６２Ｇ等を格納している。
【００４２】
検索プログラム６２Ａは、例えば、ＣＰＵ６０に、チューナ３を制御して、アンテナ１から入力されるＲＦ信号の全帯域をサーチさせ、放送波のある物理チャンネルを検索させる機能を実現させるプログラムである。ＣＰＵ６０は、かかる検索プログラム６２Ａを実行することにより、検索手段の一部として機能する。
【００４３】
決定プログラム６２Ｂは、例えば、ＣＰＵ６０に、検索プログラム６２Ａを実行することにより物理チャンネルを含む周波数帯域を検索させた結果に基づいて、所定のチャンネル数分の周波数帯域であって、物理チャンネルを最も多く含む周波数帯域を決定する機能を実現させるプログラムである。該所定のチャンネル数分の周波数帯域は、予めユーザにより定められた周波数帯域であってもよいし、テレビジョン放送受信装置１００内に設定された周波数帯域であってもてもよい。また、該周波数帯域の所定のチャンネル数は、例えば、１０チャンネル等であって、Ａ／Ｄ変換部２２のデータ処理速度等によって決まる。ＣＰＵ６０は、かかる決定プログラム６２Ｂを実行することにより、決定手段として機能する。
【００４４】
局部発振周波数決定プログラム６２Ｃは、例えば、ＣＰＵ６０に、決定プログラム６２Ｂを実行することにより決定した所定のチャンネル数分の周波数帯域で、最も低い周波数が０となるように、第１のミキサー２０がアンテナ１から入力されるＲＦ信号にミキシングする局部発振周波数を決定する機能を実現させるプログラムである。
【００４５】
周波数決定プログラム６２Ｄは、例えば、ＣＰＵ６０に、決定プログラム６２Ｂを実行することにより決定した所定のチャンネル数分の周波数帯域で、最も高い周波数のＲＦ信号に第１のミキサー２０が局部発振周波数をミキシングすることにより生成された信号の周波数を、第１のＬＰＦ２１の遮断周波数として決定する機能を実現させるプログラムである。
【００４６】
記録プログラム６２Ｅは、例えば、ＣＰＵ６０に、第１のミキサー２０及び第１のＬＰＦ２１を制御して、アンテナ１から入力されるＲＦ信号から所定のベースバンド信号を生成させ、Ａ／Ｄ変換部２２を制御して、ベースバンド信号をデジタルデータに変換させ、該デジタルデータをメモリ部２３に記憶する機能を実現させるプログラムである。
【００４７】
通常放送プログラム６２Ｆは、例えば、ＣＰＵ６０に、チューナ３を制御して、アンテナ１から入力されるＲＦ信号からユーザが所望するチャンネルのＩＦ信号を生成させ、信号セレクタ４を制御して、チューナ３からのＩＦ信号を再生部５に出力させ、再生部５を制御して、信号セレクタ４から入力されるＩＦ信号に対して復調処理等を行わせることにより得られた映像信号や音声信号を、各々表示装置２００，音声出力装置３００へ出力させる機能を実現させるプログラムである。
【００４８】
再生プログラム６２Ｇは、例えば、ＣＰＵ６０に、制御部２４を制御して、ユーザが所望する番組の放送時間のデジタルデータをメモリ部２３からＤ／Ａ変換部２５に出力させ、Ｄ／Ａ変換部２５を制御して、メモリ部２３から出力されたデジタルデータをデジタルアナログ変換させてベースバンド信号を生成させ、第２のＬＰＦ２６を制御して、Ｄ／Ａ変換部２５から入力されるベースバンド信号のうち遮断周波数以下の信号のみを第２のミキサー２７へ出力させ、局部発振周波数を調節することにより第２のミキサー２７を制御して、第２のＬＰＦ２６から入力される信号をユーザが所望するチャンネルのＩＦ信号に増幅させ、信号セレクタ４を制御して、第２のミキサー２７から入力されるＲＦ信号を再生部５に出力させ、再生部５を制御して、信号セレクタ４から入力されるＩＦ信号に対して復調処理等を行わせることにより得られた映像信号や音声信号を、各々表示装置２００，音声出力装置３００へ出力させる機能を実現させるプログラムである。
【００４９】
入力部７は、テレビジョン放送受信装置１００に各種操作に関する入力信号を入力するためのキー等を備え、ユーザにより操作されることにより、各種操作の入力信号がテレビジョン放送受信装置１００に入力される。また、入力部７は、ユーザがメモリ部２３に記憶された番組を選択するための選択キー（図示省略）を備える。
【００５０】
次に、上述のような構成の本発明の第１の実施形態に係るテレビジョン放送受信装置１００の動作について、図３，図５に示すフローチャートを参照しながら説明する。
【００５１】
まず、テレビジョン放送受信装置１００のテレビジョン放送波の受信からメモリ部２３へのデジタルデータの記憶までの動作について、図３に示すフローチャート及び図４に示すテレビジョン放送波の周波数帯域における物理チャンネルを含む周波数帯域の分布図を参照しながら説明する。
【００５２】
まず、ＣＰＵ６０は、決定プログラム６２Ｂを実行することにより、検索プログラム６２Ａを実行してチューナ３に物理チャンネルを含む周波数帯域を検索させた結果に基づいて、所定のチャンネル数分の周波数帯域であって、物理チャンネルを最も多く含む周波数帯域を決定する（ステップＳ１）。
【００５３】
具体的には、例えば、図４に示すように、チューナ３に放送波のある物理チャンネルを検索させた結果、放送波のある物理チャンネルが１７チャンネル，２０〜２２チャンネル，２４〜２７チャンネル，２９チャンネル，３０チャンネルである場合、所定のチャンネル数を１０チャンネルとして、１０チャンネル分の周波数帯域Ａ，Ｂ，Ｃをそれぞれ、１７〜２６チャンネル，２０〜２９チャンネル，２３〜３２チャンネルとすると、周波数帯域Ａ，Ｂ，Ｃは、それぞれ放送波のある物理チャンネルを７個，８個，６個含む。そして、ＣＰＵ６０が決定プログラム６２Ｂを実行することにより、周波数帯域Ａ，Ｂ，Ｃの中で、物理チャンネルを最も多く含む帯域は、周波数帯域Ｂであると決定される。
【００５４】
次に、ＣＰＵ６０は、記録プログラム６２Ｅを実行することにより、局部発振周波数決定プログラム６２Ｃを実行して、ステップＳ１において決定された所定のチャンネル数分の周波数帯域で、最も低い周波数が０となるように、第１のミキサー２０がアンテナ１から入力されるＲＦ信号にミキシングする局部発振周波数を決定する（ステップＳ２）。
【００５５】
次に、ＣＰＵ６０は、第１のミキサー２０を制御して、アンテナ１から入力されたＲＦ信号にステップＳ２で決定された局部発振周波数をミキシングさせることにより、該ＲＦ信号の周波数をダウンコンバートさせた信号を生成させる（ステップＳ３）。
【００５６】
次に、ＣＰＵ６０は、周波数決定プログラム６２Ｄを実行することにより、ステップＳ１において決定された所定のチャンネル数分の周波数帯域で、最も高い周波数のＲＦ信号に第１のミキサー２０が局部発振周波数をミキシングすることにより生成された信号の周
波数を、第１のＬＰＦ２１の遮断周波数として決定する（ステップＳ４）。
【００５７】
次に、ＣＰＵ６０は、第１のＬＰＦ２１を制御して、第１のミキサー２０から入力された信号のうち、ステップＳ４で決定された遮断周波数以下の周波数の信号のみを通過させ、ベースバンド信号を生成させる（ステップＳ５）。
【００５８】
次に、ＣＰＵ６０は、Ａ／Ｄ変換部２２を制御して、第１のＬＰＦ２１から入力されたベースバンド信号の全帯域を該ベースバンド信号の周波数の２倍以上の周波数でサンプリングさせ、アナログデジタル変換させてデジタルデータを生成させる（ステップＳ６）。
【００５９】
次に、ＣＰＵ６０は、制御部２４を制御して、Ａ／Ｄ変換部２２から入力されたデジタルデータと、該デジタルデータの放送波を受信した時刻等の時間情報とをメモリ部２３に記憶させる（ステップＳ７）。
【００６０】
次に、テレビジョン放送受信装置１００の現在受信している放送の出力及びメモリ部２３に格納されているデータの出力の動作について、図５に示すフローチャートを参照しながら説明する。
【００６１】
まず、ＣＰＵ６０は、通常放送プログラム６２Ｆを実行することにより、チューナ３を制御して、アンテナ１から入力されたＲＦ信号にユーザが入力部７を操作することにより選択したチャンネルの局部発振周波数をミキシングさせて、ＩＦ信号を生成させ、信号セレクタ４を制御して、チューナ３から入力されるＩＦ信号を再生部５に出力させ、再生部５を制御して、信号セレクタ４から入力されるＩＦ信号に対して復調処理等を行わせることにより得られた映像信号や音声信号を、各々表示装置２００，音声出力装置３００へ出力させる（ステップＳ１０１）。
【００６２】
次に、ＣＰＵ６０は、ユーザが入力部７の選択キー（図示省略）を押下することにより入力される選択信号の有無基づいて、ユーザによるメモリ部２３に記憶された番組の選択があったか否かを判断する（ステップＳ１０２）。
【００６３】
ステップＳ１０２において、ＣＰＵ６０が、入力部７から選択信号が入力されていないと判断した場合には（ステップＳ１０２；Ｙｅｓ）、ステップＳ１０１に戻る。
【００６４】
一方、ステップＳ１０２において、ＣＰＵ６０が、入力部７から選択信号が入力されたと判断した場合には（ステップＳ１０２；Ｎｏ）、ＣＰＵ６０は、再生プログラム６２Ｇを実行することにより、制御部２４を制御して、ユーザが所望する番組の放送時間のデジタルデータをメモリ部２３からＤ／Ａ変換部２５へ出力させ、Ｄ／Ａ変換部２５を制御して、メモリ部２３から出力されたデジタルデータをデジタルアナログ変換させてベースバンド信号を生成させる（ステップＳ１０３）。
【００６５】
次に、ＣＰＵ６０は、第２のＬＰＦ２６を制御して、Ｄ／Ａ変換部２５により生成されたベースバンド信号のうち、遮断周波数以下の周波数の信号のみを通過させ、第２のミキサー２７に出力する（ステップＳ１０４）。
【００６６】
次に、ＣＰＵ６０は、第２のミキサー２７を制御して、入力されたベースバンド信号にユーザが所望するチャンネルのＩＦ信号を生成するための局部発振周波数をミキシングさせることにより、ユーザが所望するチャンネルのＩＦ信号を生成させる（ステップＳ１０５）。
【００６７】
次に、ＣＰＵ６０は、信号セレクタ４を制御して、第２のミキサー２７から入力される
ＩＦ信号を再生部５に出力させる（ステップＳ１０６）。
【００６８】
次に、ＣＰＵ６０は、再生部５を制御して、信号セレクタ４から入力されるＩＦ信号に対して復調処理等を行わせることにより得られた映像信号や音声信号を、各々表示装置２００，音声出力装置３００へ出力させる（ステップＳ１０７）。
【００６９】
以上に説明した、第１の実施形態に係るテレビジョン放送受信装置１００によれば、ＣＰＵ６０が決定プログラム６２Ｂを実行することにより、テレビジョン放送波のＲＦ信号中の所定範囲の周波数帯域が決定され、第１のミキサー２０及び第１のＬＰＦ２１により、ＲＦ信号から決定プログラム６２Ｂを実行することによって決定された周波数帯域に相当するベースバンド信号が生成され、Ａ／Ｄ変換部２２により、第１のミキサー２０及び第１のＬＰＦ２１によって生成されたベースバンド信号がアナログデジタル変換され、メモリ部２３により、Ａ／Ｄ変換部２２によって変換されたデジタルデータが記憶されるので、テレビジョン放送波のＲＦ信号が、チューナによりＩＦ信号に変換され復調処理等されずにメモリ部２３に記憶されることとなって、チューナ３を各チャンネル毎に設けなくても、ＣＰＵ６０が決定プログラム６２Ｂを実行することにより決定された所定範囲の周波数帯域のＲＦ信号をアナログデジタル変換してメモリ部２３に記憶できる。
【００７０】
また、ＣＰＵ６０が決定プログラム６２Ｂを実行することにより、アナログデジタル変換してメモリ部２３に記憶するＲＦ信号の所定範囲の周波数帯域が決定されるので、単位時間あたりにアナログデジタル変換するデータ量を抑えることができるので、効率良くテレビジョン放送波のデータをメモリ部２３に記憶することができる。
【００７１】
また、ＣＰＵ６０が決定プログラム６２Ｂを実行することにより、検索プログラム６２Ａを実行してチューナ３を制御することによって検索された放送波のある物理チャンネルに基づいて、所定のチャンネル数分の周波数帯域範囲内で、放送波のある物理チャンネルが最も多い周波数帯域が所定範囲の周波数帯域として決定されるので、番組が放送されている物理チャンネルのデータを効率良くメモリ部２３に記憶することができる。
【００７２】
また、Ｄ／Ａ変換部２５により、メモリ部２３に記憶されたデジタルデータがデジタルアナログ変換されてベースバンド信号にされ、第２のＬＰＦ２６及び第２のミキサー２７により、Ｄ／Ａ変換部２５によって変換されたベースバンド信号から、所定のチャンネルのＩＦ信号が再生されるので、メモリ部２３に記憶されたデジタルデータからＲＦ信号を生成せずに直接ユーザが所望するチャンネルのＩＦ信号を生成することとなって、より効率的にメモリ部２３に記憶されたデジタルデータを再生することができる。
【００７３】
なお、第１の実施形態では、ＣＰＵ６０が決定プログラム６２Ｂを実行することによって、所定のチャンネル数分の周波数帯域であって放送波のある物理チャンネルを最も多く含む周波数帯域が決定されることとしたが、所定のチャンネル数分の周波数帯域であればなんであってもよく、例えば、ユーザが見る頻度が多い番組のチャンネルを最も多く含む周波数帯域を所定のチャンネル数分の周波数帯域としてもよい。
（第２の実施形態）
次に、本発明の第２の実施形態に係るテレビジョン放送受信装置４００を実施するための最良の形態を詳細に説明する。
【００７４】
第２の実施形態に係るテレビジョン放送受信装置４００では、図６に示すように、入力部７１，記憶部６３の構成のみが第１の実施形態のテレビジョン放送受信装置１００と異なるため、第１の実施形態のテレビジョン放送受信装置１００と同様の構成については、同一符号を付すとともに、その説明を省略する。
【００７５】
入力部７１は、テレビジョン放送受信装置４００に各種操作に関する入力信号を入力す
るためのキー，メモリ部２３に記憶された番組を選択するための選択キー（図示省略）等を備え、ユーザにより操作されることにより、各種操作の入力信号がテレビジョン放送受信装置４００に入力される。また、入力部７１は、ユーザが所望する番組に関するキーワードを入力するためのキー（図示省略）を備え、入力手段として機能する。
【００７６】
記憶部６３は、例えば、プログラムやデータ等が予め記憶されている記録媒体（図示せず）を有しており、この記録媒体は、例えば、半導体メモリ等で構成されている。また、記憶部６３は、ＣＰＵ６０がテレビジョン放送受信装置４００全体を制御する機能を実現させるための各種データ，各種処理プログラム，これらプログラムの実行により処理されたデータ等を記憶する。より具体的には、記憶部６３は、例えば、図２に示すように、ＥＰＧデータファイル６３Ａ，キーワードデータ６３Ｂ，検索プログラム６３Ｃ，決定プログラム６３Ｄ，局部発振周波数決定プログラム６２Ｃ，周波数決定プログラム６２Ｄ，記録プログラム６２Ｅ，通常放送プログラム６２Ｆ，再生プログラム６２Ｇ等を格納している。
【００７７】
ＥＰＧデータファイル６３Ａは、テレビジョン放送波に多重化されて伝送されるＥＰＧ（Electric  Program  Guide）データを記憶している。ＥＰＧデータには、番組タイトル，出演者名，チャンネル番号，放送時間等のデータが含まれる。記憶部６３は、かかるＥＰＧデータファイル６３Ａを格納することにより、記憶手段として機能する。
【００７８】
キーワードデータ６３Ｂは、ユーザが入力部７１を操作することにより入力されたユーザが見たい番組に関するキーワードの情報である。キーワードには、番組タイトル，出演者名等が含まれる。
【００７９】
検索プログラム６３Ｃは、例えば、ＣＰＵ６０に、キーワードデータ６３Ｂに記憶されたキーワードが含まれる番組をＥＰＧデータファイル６３Ａを参照することにより抽出し、チューナ３を制御して、アンテナ１から入力されるＲＦ信号の全帯域をサーチさせ、該番組が放送される物理チャンネルの周波数帯域を検索させる機能を実現させるプログラムである。ＣＰＵ６０は、かかる検索プログラム６３Ｃを実行することにより、検索手段の一部として機能する。
【００８０】
決定プログラム６３Ｄは、例えば、ＣＰＵ６０に、検索プログラム６３Ｃを実行することによって、チューナ３を制御してキーワードを含む番組が放送される物理チャンネルの周波数帯域を検索させた結果に基づいて、所定のチャンネル数分の周波数帯域であって、該番組が放送される物理チャンネルを最も多く含む周波数帯域を決定する機能を実現させるプログラムである。該所定のチャンネル数分の周波数帯域は、予めユーザにより定められた周波数帯域であってもよいし、テレビジョン放送受信装置４００内に設定された周波数帯域であってもよい。また、該周波数帯域の所定のチャンネル数は、例えば、１０チャンネル等であって、Ａ／Ｄ変換部２２のデータ処理速度等によって決まる。ＣＰＵ６０は、かかる決定プログラム６３Ｄを実行することにより、決定手段として機能する。
【００８１】
次に、上述のような構成の本発明の第２の実施形態に係るテレビジョン放送受信装置４００のテレビジョン放送波の受信からメモリ部２３へのデジタルデータの記憶までの動作について、図７に示すフローチャートを参照しながら説明する。
【００８２】
まず、ＣＰＵ６０は、検索プログラム６３Ｃを実行することにより、ユーザにより入力されてキーワードデータ６３Ｂに記憶されたキーワードが含まれる番組をＥＰＧデータファイル６３Ａを参照することにより抽出し、チューナ３を制御して、アンテナ１から入力されるＲＦ信号の全帯域をサーチさせ、該番組が放送される物理チャンネルの周波数帯域を検索させる（ステップＳ２０１）。
【００８３】
次に、ＣＰＵ６０は、決定プログラム６３Ｄを実行することにより、検索プログラム６３Ｃを実行してチューナ３を制御してキーワードを含む番組が放送される物理チャンネルの周波数帯域を検索させた結果に基づいて、所定のチャンネル数分の周波数帯域であって、該番組が放送される物理チャンネルを最も多く含む周波数帯域を決定する（ステップＳ２０２）。
【００８４】
次に、ＣＰＵ６０は、記録プログラム６２Ｅを実行することにより、局部発振周波数決定プログラム６２Ｃを実行して、ステップＳ２０２において決定された所定のチャンネル数分の周波数帯域で、最も低い周波数が０となるように、第１のミキサー２０がアンテナ１から入力されるＲＦ信号にミキシングする局部発振周波数を決定する（ステップＳ２０３）。
【００８５】
次に、ＣＰＵ６０は、第１のミキサー２０を制御して、アンテナ１から入力されたＲＦ信号にステップＳ２０３で決定された局部発振周波数をミキシングさせることにより、該ＲＦ信号の周波数をダウンコンバートさせた信号を生成させる（ステップＳ２０４）。
【００８６】
次に、ＣＰＵ６０は、周波数決定プログラム６２Ｄを実行することにより、ステップＳ２０２において決定された所定のチャンネル数分の周波数帯域で、最も高い周波数のＲＦ信号に第１のミキサー２０が局部発振周波数をミキシングすることにより生成された信号の周波数を、第１のＬＰＦ２１の遮断周波数として決定する（ステップＳ２０５）。
【００８７】
次に、ＣＰＵ６０は、第１のＬＰＦ２１を制御して、第１のミキサー２０から入力された信号のうち、ステップＳ２０５で決定された遮断周波数以下の周波数の信号のみを通過させ、ベースバンド信号を生成させる（ステップＳ２０６）。
【００８８】
次に、ＣＰＵ６０は、Ａ／Ｄ変換部２２を制御して、第１のＬＰＦ２１から入力されたベースバンド信号の全帯域を該ベースバンド信号の周波数の２倍以上の周波数でサンプリングさせ、アナログデジタル変換させてデジタルデータを生成させる（ステップＳ２０７）。
【００８９】
次に、ＣＰＵ６０は、制御部２４を制御して、Ａ／Ｄ変換部２２から入力されたデジタルデータと、該デジタルデータの放送波を受信した時刻等の時間情報とをメモリ部２３に記憶させる（ステップＳ２０８）。
【００９０】
以上に説明した、第２の実施形態に係るテレビジョン放送受信装置４００によれば、第１の実施形態に係るテレビジョン放送受信装置４００と同様の効果が得られることの他、特に、ＣＰＵ６０が決定プログラム６３Ｄを実行することにより、検索プログラム６３Ｃを実行してチューナ３を制御することによって検索されたキーワードを含む番組が放送される物理チャンネルに基づいて、所定のチャンネル数分の周波数帯域範囲内で、キーワードを含む番組が放送される物理チャンネルが最も多い周波数帯域が所定範囲の周波数帯域として決定されるので、ユーザが見たい番組に関するキーワードを含む番組が放送されている物理チャンネルのデータを効率良くメモリ部２３に記憶することができる。
（第３の実施形態）
次に、本発明の第３の実施形態に係るテレビジョン放送受信装置５００を実施するための最良の形態を詳細に説明する。
【００９１】
第３の実施形態に係るテレビジョン放送受信装置５００では、図８に示すように、第１のミキサー２０Ａ，第１のミキサー２０Ｂ，第１のＬＰＦ（Low  Pass  Filter）２１Ａ
，第１のＬＰＦ２１Ｂ，Ａ／Ｄ変換部２２Ａ，２２Ｂ，記憶部６４等の構成のみが第１の
実施形態のテレビジョン放送受信装置１００と異なるため、第１の実施形態のテレビジョン放送受信装置１００と同様の構成については、同一符号を付すとともに、その説明を省略する。
【００９２】
放送波記憶部２は、第１のミキサー２０Ａ，２０Ｂ，第１のＬＰＦ（Low  Pass  Filter）２１Ａ，２１Ｂ，Ａ／Ｄ変換部２２Ａ，２２Ｂ，メモリ部２３，制御部２４，Ｄ／Ａ
変換部２５，第２のＬＰＦ２６，第２のミキサー２７等を備えて構成され、メイン制御部６からの制御信号に従って、アンテナ１により受信された放送波にデジタルアナログ変換処理等を行って生成されたデジタルデータをメモリ部２３記憶するとともに、メモリ部２３に記憶されたデジタルデータからユーザが所望するチャンネルのＩＦ信号を生成する。
【００９３】
第１のミキサー２０Ａ及び第１のミキサー２０Ｂは、水晶発振器等を備え、アンテナ１から入力されたＲＦ信号に、後述するＣＰＵ６０が局部発振周波数決定プログラム６４Ｃを実行することにより決定した局部発振周波数をミキシングすることにより、ＲＦ信号の周波数をダウンコンバートさせた信号を生成し、第１のＬＰＦ２１Ａ及び第１のＬＰＦ２１Ｂに出力する。第１のＬＰＦ２１Ａ及び第１のＬＰＦ２１Ｂは、第１のミキサー２０Ａ及び第１のミキサー２０Ｂから入力された信号のうち、ＣＰＵ６０が周波数決定プログラム６４Ｄを実行することにより決定した遮断周波数以下の周波数の信号のみを通過させ、ベースバンド信号を生成し、Ａ／Ｄ変換部２２Ａ，２２Ｂに出力する。
【００９４】
Ａ／Ｄ変換部２２Ａ及びＡ／Ｄ変換部２２Ｂは、第１のＬＰＦ２１Ａ又は第１のＬＰＦ２１Ｂから入力されたベースバンド信号の全帯域をサンプリングし、アナログデジタル変換してデジタルデータを生成し、メモリ部２３に出力する。ここで、Ａ／Ｄ変換部２２Ａ，２２Ｂにおけるサンプリングは、ベースバンド信号を再生した場合の劣化を防止するため、ナイキスト周波数を考慮して、ベースバンド信号の周波数の２倍以上の周波数でサンプリングすることが望ましい。
【００９５】
記憶部６４は、例えば、プログラムやデータ等が予め記憶されている記録媒体（図示せず）を有しており、この記録媒体は、例えば、半導体メモリ等で構成されている。また、記憶部６４は、ＣＰＵ６０がテレビジョン放送受信装置５００全体を制御する機能を実現させるための各種データ，各種処理プログラム，これらプログラムの実行により処理されたデータ等を記憶する。より具体的には、記憶部６４は、例えば、図９に示すように、検索プログラム６２Ａ，決定プログラム６４Ｂ，局部発振周波数決定プログラム６４Ｃ，周波数決定プログラム６４Ｄ，記録プログラム６４Ｅ，通常放送プログラム６２Ｆ，再生プログラム６２Ｇ等を格納している。
【００９６】
決定プログラム６４Ｂは、例えば、ＣＰＵ６０に、検索プログラム６２Ａを実行することにより物理チャンネルを含む周波数帯域を検索させた結果に基づいて、所定のチャンネル数分の周波数帯域であって、物理チャンネルを最も多く含む周波数帯域と、所定のチャンネル数分の周波数帯域であって、物理チャンネルを２番目に多く含む周波数帯域とを決定する機能を実現させるプログラムである。該所定のチャンネル数分の周波数帯域は、予めユーザにより定められた周波数帯域であってもよいし、テレビジョン放送受信装置５００内に設定された周波数帯域であってもよい。また、該周波数帯域の所定のチャンネル数は、例えば５チャンネル等であって、Ａ／Ｄ変換部２２Ａ，２２Ｂのデータ処理速度等によって決まる。ＣＰＵ６０は、かかる決定プログラム６４Ｂを実行することにより、決定手段として機能する。
【００９７】
局部発振周波数決定プログラム６４Ｃは、例えば、ＣＰＵ６０に、決定プログラム６４Ｂを実行することにより決定した所定のチャンネル数分の周波数帯域であって物理チャンネルを最も多く含む周波数帯域で、最も低い周波数が０となるように、第１のミキサー２
０Ａがアンテナ１から入力されるＲＦ信号にミキシングする局部発振周波数を決定するとともに、決定プログラム６４Ｂを実行することにより決定した所定のチャンネル数分の周波数帯域であって物理チャンネルを２番目に多く含む周波数帯域で、最も低い周波数が０となるように、第１のミキサー２０Ｂがアンテナ１から入力されるＲＦ信号にミキシングする局部発振周波数を決定する機能を実現させるプログラムである。
【００９８】
周波数決定プログラム６４Ｄは、例えば、ＣＰＵ６０に、決定プログラム６４Ｂを実行することにより決定した所定のチャンネル数分の周波数帯域であって物理チャンネルを最も多く含む周波数帯域で、最も高い周波数のＲＦ信号に第１のミキサー２０Ａが局部発振周波数をミキシングすることにより生成された信号の周波数を、第１のＬＰＦ２１Ａの遮断周波数として決定するとともに、決定プログラム６４Ｂを実行することにより決定した所定のチャンネル数分の周波数帯域であって物理チャンネルを２番目に多く含む周波数帯域で、最も高い周波数のＲＦ信号に第１のミキサー２０Ｂが局部発振周波数をミキシングすることにより生成された信号の周波数を、第１のＬＰＦ２１Ｂの遮断周波数として決定する機能を実現させるプログラムである。
【００９９】
記録プログラム６４Ｅは、例えば、ＣＰＵ６０に、第１のミキサー２０Ａ，第１のミキサー２０Ｂ及び第１のＬＰＦ２１Ａ，第１のＬＰＦ２１Ｂを制御して、アンテナ１から入力されるＲＦ信号から所定のベースバンド信号を生成させ、Ａ／Ｄ変換部２２Ａ，２２Ｂを制御して、ベースバンド信号をデジタルデータに変換させ、制御部２４を制御して、デジタルデータに該デジタルデータの放送波を受信した時刻等の時間情報を付加してメモリ部２３に記憶させる機能を実現させるプログラムである。
【０１００】
次に、上述のような構成の本発明の第３の実施形態に係るテレビジョン放送受信装置５００のテレビジョン放送波の受信からメモリ部２３へのデジタルデータの記憶までの動作について、図１０に示すフローチャートを参照しながら説明する。
【０１０１】
まず、ＣＰＵ６０は、決定プログラム６４Ｂを実行することにより、検索プログラム６２Ａを実行してチューナ３に物理チャンネルを含む周波数帯域を検索させた結果に基づいて、所定のチャンネル数分の周波数帯域であって、物理チャンネルを最も多く含む周波数帯域、及び、所定のチャンネル数分の周波数帯域であって、物理チャンネルを２番目に多く含む周波数帯域を決定する（ステップＳ３０１）。
【０１０２】
次に、ＣＰＵ６０は、記録プログラム６４Ｅを実行することにより、局部発振周波数決定プログラム６４Ｃを実行して、ステップＳ３０１において決定された所定のチャンネル数分の周波数帯域で、最も低い周波数が０となるように、第１のミキサー２０Ａがアンテナ１から入力されるＲＦ信号にミキシングする局部発振周波数、及び、第１のミキサー２０Ｂがアンテナ１から入力されるＲＦ信号にミキシングする局部発振周波数を決定する（ステップＳ３０２）。
【０１０３】
次に、ＣＰＵ６０は、第１のミキサー２０Ａ及び第１のミキサー２０Ｂを制御して、アンテナ１から入力されたＲＦ信号にステップＳ３０２で決定された局部発振周波数をミキシングさせることにより、該ＲＦ信号の周波数をダウンコンバートさせた信号を生成させる（ステップＳ３０３）。
【０１０４】
次に、ＣＰＵ６０は、周波数決定プログラム６４Ｄを実行することにより、ステップＳ３０１において決定された所定のチャンネル数分の周波数帯域であって物理チャンネルを最も多く含む周波数帯域で、最も高い周波数のＲＦ信号に第１のミキサー２０Ａが局部発振周波数をミキシングすることにより生成された信号の周波数を、第１のＬＰＦ２１Ａの遮断周波数として決定するとともに、ステップＳ３０１において決定された所定のチャン
ネル数分の周波数帯域であって物理チャンネルを２番目に多く含む周波数帯域で、最も高い周波数のＲＦ信号に第１のミキサー２０Ｂが局部発振周波数をミキシングすることにより生成された信号の周波数を、第１のＬＰＦ２１Ｂの遮断周波数として決定する（ステップＳ３０４）。
【０１０５】
次に、ＣＰＵ６０は、第１のＬＰＦ２１Ａ及び第１のＬＰＦ２１Ｂを制御して、それぞれ、第１のミキサー２０Ａ及び第１のミキサー２０Ｂから入力された信号のうち、ステップＳ３０４で決定された遮断周波数以下の周波数の信号のみを通過させ、ベースバンド信号を生成させる（ステップＳ３０５）。
【０１０６】
次に、ＣＰＵ６０は、Ａ／Ｄ変換部２２Ａ，２２Ｂを制御して、第１のＬＰＦ２１Ａ及び第１のＬＰＦ２１Ｂから入力されたベースバンド信号の全帯域を該ベースバンド信号の周波数の２倍以上の周波数でサンプリングさせ、アナログデジタル変換させてデジタルデータを生成させる（ステップＳ３０６）。
【０１０７】
次に、ＣＰＵ６０は、制御部２４を制御して、Ａ／Ｄ変換部２２Ａ，２２Ｂから入力されたデジタルデータと、該デジタルデータの放送波を受信した時刻等の時間情報とをメモリ部２３に記憶させる（ステップＳ３０７）。
【０１０８】
以上に説明した、第３の実施形態に係るテレビジョン放送受信装置５００によれば、第１の実施形態に係るテレビジョン放送受信装置５００と同様の効果が得られることの他、特に、ＣＰＵ６０が決定プログラム６４Ｂを実行することにより、検索プログラム６２Ａを実行してチューナ３を制御することによって検索された放送波のある物理チャンネルに基づいて、所定のチャンネル数分の周波数帯域範囲内で、放送波のある物理チャンネルが最も多い周波数帯域が所定範囲の周波数帯域として決定されるだけでなく、所定のチャンネル数分の周波数帯域範囲内で、放送波のある物理チャンネルが２番目に多い周波数帯域が所定範囲の周波数帯域として決定されるので、例えば、放送波のＲＦ信号の全帯域において、放送波のある物理チャンネルが多い周波数帯域が分断されている場合においても、番組が放送されている物理チャンネルのデータを効率良くメモリ部２３に記憶することができる。
【０１０９】
なお、第３の実施形態では、ＣＰＵ６０が決定プログラム６４Ｂを実行することによって、所定のチャンネル数分の周波数帯域であって放送波のある物理チャンネルを最も多く含む周波数帯域、及び、所定のチャンネル数分の周波数帯域であって放送波のある物理チャンネルを２番目に多く含む周波数帯域が決定されることとしたが、所定のチャンネル数分の周波数帯域であればなんであってもよく、例えば、ユーザが見る頻度が多い番組のチャンネルを最も多く含む周波数帯域、及び、所定のチャンネル数分の周波数帯域であってユーザが見る頻度が多い番組のチャンネルを２番目に多く含む周波数帯域を、各々所定のチャンネル数分の周波数帯域としてもよい。
【０１１０】
また、第３の実施形態では、放送波記憶部２は、第１のミキサー及び第１のＬＰＦそれぞれ２つずつ備えることとしたが、第１のミキサー及び第１のＬＰＦは、３つ以上備えられてもよい。
【図面の簡単な説明】
【０１１１】
【図１】本発明の第１の実施形態に係るテレビジョン放送受信装置の要部構成を示すブロック図である。
【図２】本発明の第１の実施形態に係るメイン制御部と各部の関係を説明するブロック図である。
【図３】本発明の第１の実施形態に係るテレビジョン放送受信装置の動作を説明するフローチャートである。
【図４】テレビジョン放送波の周波数帯域における物理チャンネルを含む周波数帯域の分布の一例を示す図である。
【図５】本発明の第１の実施形態に係るテレビジョン放送受信装置の動作を説明するフローチャートである。
【図６】本発明の第２の実施形態に係るメイン制御部と各部の関係を説明するブロック図である。
【図７】本発明の第２の実施形態に係るテレビジョン放送受信装置の動作を説明するフローチャートである。
【図８】本発明の第３の実施形態に係るテレビジョン放送受信装置の要部構成を示すブロック図である。
【図９】本発明の第３の実施形態に係るメイン制御部と各部の関係を説明するブロック図である。
【図１０】本発明の第３の実施形態に係るテレビジョン放送受信装置の動作を説明するフローチャートである。
【符号の説明】
【０１１２】
２０，２０Ａ，２０Ｂ  第１のミキサー（ベースバンド信号生成手段）
２１，２１Ａ，２１Ｂ  第１のＬＰＦ（ベースバンド信号生成手段）
２２，２２Ａ，２２Ｂ  Ａ／Ｄ変換部（Ａ／Ｄ変換手段）
２３  メモリ部
２５  Ｄ／Ａ変換部（Ｄ／Ａ変換手段）
２６  第２のＬＰＦ（ＩＦ信号生成手段）
２７  第２のミキサー（ＩＦ信号生成手段）
３  チューナ（検索手段）
６０  ＣＰＵ（検索手段，決定手段，局部発振周波数決定手段）
６２Ａ，６３Ｃ  検索プログラム（検索手段）
６２Ｂ，６３Ｄ，６４Ｂ  決定プログラム（決定手段）
６２Ｃ，６４Ｃ  局部発振周波数決定プログラム（局部発振周波数決定手段）
７，７１  入力部（入力手段）
１００，４００，５００  テレビジョン放送受信装置（テレビジョン放送受信装置）
【図１】
2006332853.tif 000003
【図２】
2006332853.tif 000004
【図３】
2006332853.tif 000005
【図４】
2006332853.tif 000006
【図５】
2006332853.tif 000007
【図６】
2006332853.tif 000008
【図７】
2006332853.tif 000009
【図８】
2006332853.tif 000010
【図９】
2006332853.tif 000011
【図１０】
2006332853.tif 000012